(57)【要約】      （修正有）【課題】円弧形状の首掛け部と首掛け部の端部に備えたファン部からなる首掛けファンを提供する。【解決手段】円弧形状の首掛け部１０と、上記首掛け部の各々の端部に備えられたファン部２０からなる首掛けファンであって、上記首掛け部は、首掛け基部１１と、上記首掛け基部に設けられた上記首掛け部の長さを調節するための調節バンド１２と、上記調節バンドを収納する収納部１３と、からなり、上記ファン部は、ファン取付け基台を備え、上記ファン取付け基台は上記収納部にピン２３を使用して回動自在に係止され、上記ファン取付け基台は、Ｕ形状のファン本体取付け部材を備え、上記ファン本体取付け部材が備える各々の端部の略中央、及び上記ファン本体２４の直径の両端の各々に、ピンの嵌通孔を設け、上記嵌通孔にピンを用いて回動自在に取り付けられたこと。【選択図】図１
0003225662.tif 000002
【実用新案登録請求の範囲】
【請求項１】
円弧形状の首掛け部と、上記首掛け部の各々の端部に備えられたファン部からなる首掛けファンであって、
上記首掛け部は、首掛け基部と、上記首掛け基部に設けられた上記首掛け部の長さを調節するための調節バンドと、上記調節バンドを収納する収納部と、からなり、
上記ファン部は、ファン取付け基台を備え、
上記ファン取付け基台は上記収納部に回動自在に係止され
上記ファン取付け基台は、Ｕ形状のファン本体取付け部材を備え
ファン本体は、上記ファン本体取付け部材に回動自在に取り付けられたことを特徴とする首掛けファン。
【請求項２】
上記調節バンドの少なくても表面又は裏面のいずれか一方に山型形状の突起を有し、且つ上記収納部の相対する面の少なくともいずれか一方に山型形状の突起を有する請求項１に記載の首掛けファン。
【考案の詳細な説明】
【技術分野】
【０００１】
本願考案は首掛けファンに関する。詳しくは、大人から子供まで、首にフィットし、且つ風向きを自由に変更できる首掛けファンに関する。
【背景技術】
【０００２】
夏季における猛暑日のなかで、外出等をするときは、非常な苦痛を感じる。特に、屋外の日差しの中で作業するときは更に苦痛を感じる。従来は手持ちの携帯ファンが使用されていた。この手持ち携帯ファンは、両手を使用したい者には使い勝手が良くない等の不具合があった。
【０００３】
また、従来においても、首掛けファンはあったが、風の方向が自由に変更できない等のため、使用者に十分の満足度を与えることができなかった。さらに風量が小さく十分な冷却効果が得られないことも多いうえに高価である等の欠点があった。
【０００４】
本願考案の首掛けファンは、首掛け部が伸縮し、大人から子供まで、使用できるうえに、風向を自由に変更できる。また、風量を大きくして使用者が十分な冷却効果が得られる。構造が簡単であり、堅牢・安価に製造できる。
【先行技術文献】
【特許文献】
【０００５】
【特許文献１】実用新案登録第３１４３７４２号
【特許文献２】特表２０１８−５０７９８７
【考案の開示】
【考案が解決しようとする課題】
【０００６】
本願首掛けファンは、円弧形状の首掛け部と、首掛け部の各々の端部に備えられたファン部からなる。円弧上の首掛け部は伸縮し、風向は変更自在である。本願首掛けファンは風量が大きく、猛暑日の日中においても良好な凉が得られる。
【課題を解決するための手段】
【０００７】
本願首掛けファン１は、円弧形状の首掛け部１０と、円弧形状の首掛け部１０の各々の端部に備えられたファン部２０からなる。この首掛け部１０は、首掛け基部１１と、首掛け基部１１に設けられた首掛け部の長さを調節するための調節バンド１２と、この調節バンド１２を収納する収納部１３と、からなる。
【０００８】
この調節バンド１２の少なくても表面又は裏面のいずれか一方に山型形状の突起１２１を有し、且つ上記収納部１３の相対する面の少なくともいずれかに山型形状の突起１３１を有することが好ましい。首掛け部１０有する調節バンド１２を収納部１３に所望の位置に確実に嵌捜・固定するためである。
【０００９】
ファン部２０は、ファン取付け基台２１を備え、このファン取付け基台２１は上記収納部１３にピン２２により係止され、このピン２２を中心に回動する。ファン取付け基台２１は、Ｕ形状のファン取付け部材２１１を備え、ファン本体２０は、上記ファン取付け部材２１１にピン２３により回動自在に取り付けられる。ファン部２０はこれらピン２２及びピン２３により、風向を自由に変えることができる。
【００１０】
このファン本体２４には、リード線２６のアダプタ２５を介して末端に備えるピンプラグ３０でバッテリーに接続して動力が供給される。
【考案の効果】
【００１１】
本願考案に係る首掛けファンは、首掛け部の長さを調節するための調節バンド１２を備え、ファン部２０はピン２２及びピン２３有するため、成人はもとより子供においても、自在に風向を調節することが可能である。
また、電源は本願考案に係る首掛けファンの外部から得るため、大容量且つ、長時間の電力を得ることができる。このため、暑いさかりに屋外で労働する者に実用的な凉を得ることができる。
【図面の簡単な説明】
【００１２】
【図１】本願首掛けファンの斜視図である。
【図２】本願首掛けファン係る調節バンド及び収納部の側面説明図である。
【図３】本願首掛けファンのファン部の正面図である。
【図４】本願首掛けファンのファン部がファン取付け基台に対して９０度回動した状態を示す説明図である。
【図５】ファン本体の回動状態を示す説明図である。
【考案を実施するための形態】
【００１３】
以下、本願考案を実施するための形態を図に基づいて詳細に説明する。これらの図中の記号（または番号）は、共通する要素の場合は省略している。また、図中において要素が明瞭である場合も省略している。これらの図は本願考案を説明するために模式的に描いたものであり、本願考案がこれらの図に拘束されるものではない。
【００１４】
本願考案の首掛けファン１は、円弧形状の首掛け部１０と、首掛け部１０の各々の端部に備えられたファン部２０からなる。
図１は、本願首掛けファン１の斜視図である。首掛け部１０は、円弧形状をなし、使用者の首にフィットする。円弧形状状とは、正確な円弧をなす必要はなく、首掛けファン１を使用する者の首にフィットするような形状を指す。
【００１５】
この首掛け部１０は、プラスチック、ゴム、エラストマー、鋼等の弾性素材で形成され、円弧の形状は変更可能である。また、この首掛け部１０を構成する首掛け基部１１を柔軟素材で覆って、使用者の装着感を良好にすることもできる。
【００１６】
この首掛け基部１１は、調節バンド１２と一体に形成される。この調節バンド１２は、首掛け部１０の全体の長さを調節する。この調節バンド１２は、収納部１３に一部又は全部が収納されることにより首掛け部１０の全体の長さを調節することができる。このため、首掛け部１０は、成人はもとより、首の細い子供、女性等においても首にフィットする。
【００１７】
図２は、本願首掛けファン係る調節バンド及び収納部の側面説明図である。
図２（ａ）は、調節バンド１２を収納部１３に一部収納した場合の説明図である（首掛け部１０の長さを縮めた状態）。
図２（ｂ）は、首掛け部１０の長さを伸ばした状態を示す。
この調節バンド１２の少なくても表面又は裏面のいずれか一方に山型形状の突起１２１を有し、収納部１３の内側の相対する面の少なくともいずれかに山型形状の突起１３１を有することが好ましい。これら山型形状の突起は、首掛け部１０の任意の長さを確実に保持できる。
【００１８】
図２（ｃ）は、箱形状の収納部１３の相対する面、及び調節バンド１２の表裏面に突起１２１と突起１３１を設けた状態の縦断面図である。これら突起１２１及び突起を設けることにより、首掛け部１０有する調節バンド１２を収納部１３に所望の位置に確実に嵌捜・固定できる。
【００１９】
図３は、本願首掛けファン１のファン部２０の正面図である。このファン部２０は、ファン取付け基台２１を備え、ファン取付け基台２１は上述の調節バンド１２の収納部１３に回動自在に係止される。この回動係止手段は特に限定しないが、図３においては、ピン２２を使用して回動自在に係止されている。
【００２０】
図４は、本願首掛けファン１のファン部２０がファン取付け基台２１に対して９０度回動した状態を示す説明図である。このファン取付け基台２１は中心線Ｃを中心に回動自在である。ファン本体２４は、リード線２６を介して、バッテリーから電源を得て、羽根２４１を回転させる。
【００２１】
ファン取付け基台２１は、Ｕ字形状のファン取付け部材２１１を備える。ファン本体１４は、このファン取付け部材２１１にピン２３を用いて係止する。ファン本体２４は、このピンを中心に回動可能である。
図５は、ファン本体の回動状態を示す説明図である。
図５（ａ）はファン本体が上向きに回動した状態を示し、
図５（ｂ）は、ファン本体が下向きに回動した状態を示す説明図である。
【００２２】
ファン本体２４は、モーター（図示しない。）により羽根２４１を回転させ、カバー２４２によって、異物が羽根２４１に絡むのを防止する。モーターはリード線２６によりバッテリーから電源を得る。所望の風量を得るために、羽根２４１の大きさ、モーターの出力は任意に選択できる。
【００２３】
通常、ファン本体２４の動力源であるバッテリーは、ズボンのバンド等に固定する。リード線２６にピンプラグ２７等を設けて、バッテリーのコネクターにこのピンプラスを挿入して電源を得ることができる。また、リード線２６にアダプタ２５等を設けてファン本体２４からリード線２６の着脱を容易にすることもできる。
【００２４】
このファン本体２４のモーター駆動電力に制限はないが、通常は電圧が５ボルト〜２４ボルト、電流は０．１５アンペア〜０．３０アンペアのものが使用される。この範囲のファンは、バッテリーの１回の充電で、４時間〜８時間使用可能である。また、これら範囲以外であっても用途に応じて、大電力のモーターを使用することもできるし、小電力のものを使用することもできる。
【００２５】
本願考案は、首掛け部にバッテリーを内蔵した従来技術の首掛けファンに比較して、ズボンのバンド、または衣服のポケット等にバッテリーを収納するため、バッテリーの電力容量を大きくすることができるため、風量を大きくすることができる。
【符号の説明】
【００２６】
１        首掛けファン
１０      首掛け部
１１      首掛け基部
１２      調節バンド
１２１    突起
１３      収納部
１３１    突起
２０      ファン部
２１      ファン取付け基台
２１１    ファン取付け部材
２２      ピン
２３      ピン
２４      ファン本体
２４１    羽根
２４２    カバー
２５      アダプタ
２６      リード線
２７      ピンプラグ
Ｃ        中心線
【図１】
0003225662.tif 000003
【図２】
0003225662.tif 000004
【図３】
0003225662.tif 000005
【図４】
0003225662.tif 000006
【図５】
0003225662.tif 000007
【手続補正書】
【提出日】令和2年1月19日(2020.1.19)
【手続補正１】
【補正対象書類名】実用新案登録請求の範囲
【補正対象項目名】全文
【補正方法】変更
【補正の内容】
【実用新案登録請求の範囲】
【請求項１】
円弧形状の首掛け部と、上記首掛け部の各々の端部に備えられたファン部からなる首掛けファンであって、
上記首掛け部は、首掛け基部と、上記首掛け基部に設けられた上記首掛け部の長さを調節するための調節バンドと、上記調節バンドを収納する収納部と、からなり、
上記ファン部は、ファン取付け基台を備え、
上記ファン取付け基台は上記収納部にピンを使用して回動自在に係止され、
上記ファン取付け基台は、Ｕ形状のファン本体取付け部材を備え、
上記ファン本体取付け部材が備える各々の端部の略中央、及び上記ファン本体の直径の両端の各々に、ピンの嵌通孔を設け、上記嵌通孔にピンを用いて回動自在に取り付けられたことを特徴とする首掛けファン。
【請求項２】
上記調節バンドの少なくても表面又は裏面のいずれか一方に山型形状の突起を有し、且つ上記収納部の相対する面の少なくともいずれか一方に山型形状の突起を有する請求項１に記載の首掛けファン。